(57)【要約】【課題】様々な使用状態を自動検出して省電力化等に対応すること。【解決手段】表示装置１は、それぞれ赤色光、緑色光および青色光を射出する赤ＬＥＤアレイ１２Ｒ、緑ＬＥＤアレイ１２Ｇおよび青ＬＥＤアレイ１２Ｂを備えた光源部１３と、照明する色毎の光を空間変調する光変調部１５と、空間変調された各色の光を投射して画像を投影表示する投影光学系１６と、電流を供給して各ＬＥＤアレイを発光させるＬＥＤ駆動部２と、表示装置１の状態を示すモードを判別するモード判別部１１ｂと、モード判別部１１ｂの判別結果をもとに色毎のＬＥＤアレイの発光量を求めてＬＥＤ駆動部２を制御するＬＥＤ発光制御部１１ａと、を備える。【選択図】        図１
2006154671.tif 000002
【特許請求の範囲】
【請求項１】
少なくとも３色の色毎に同色の光を発する１以上の発光素子を有し、該色毎の光を射出する光源手段と、
入力されたカラー画像情報をもとに前記光源手段が射出した前記色毎の光を空間変調する光変調手段と、
前記光変調手段によって空間変調された前記色毎の光を結像して前記光変調手段の像を表示する表示光学手段と、
前記発光素子を発光させる発光駆動手段と、
第１と第２の少なくとも２つのモードを判別するモード判別手段と、
前記モード判別手段の判別結果をもとに前記１以上の発光素子の前記色毎に発光すべき発光量を求め、該発光量をもとに前記発光駆動手段を制御する発光制御手段と、
を備え、
前記発光すべき発光量は、前記第２のモードよりも前記第１のモードの方が大きいことを特徴とする表示装置。
【請求項２】
前記発光制御手段は、前記色毎に、前記発光量に対応した数の前記発光素子を点灯させるように前記発光駆動手段を制御することを特徴とする請求項１に記載の表示装置。
【請求項３】
各モードに対応する前記発光量を記憶した記憶テーブルを備え、
前記発光制御手段は、前記判別結果を取得し、前記記憶テーブルを参照して該取得した判別結果に対応する前記発光量を選択し、該選択した前記発光量をもとに前記発光駆動手段を制御することを特徴とする請求項１または２に記載の表示装置。
【請求項４】
前記発光制御手段は、前記判別結果をもとに、所定の１色の光を発する前記１以上の発光素子のみを点灯させるように前記発光駆動手段を制御することを特徴とする請求項１に記載の表示装置。
【請求項５】
前記光源手段は、少なくとも前記１色として白色光を発する１以上の発光素子を有し、
前記発光制御手段は、前記モード判別手段が前記第２のモードを判別した場合に、前記白色光を発する前記１以上の発光素子を点灯させるように前記発光駆動手段を制御することを特徴とする請求項４に記載の表示装置。
【請求項６】
前記光源手段は、少なくとも前記１色として赤色光を発する１以上の発光素子を有し、
前記発光制御手段は、前記モード判別手段が緊急性の高いモードである前記第２のモードを判別した場合、前記赤色光を発生する前記１以上の発光素子を点灯させるように前記発光駆動手段を制御することを特徴とする請求項４に記載の表示装置。
【請求項７】
前記画像情報をモノクロ画像情報に変換する画像処理手段と、
前記判別結果をもとに前記画像情報を前記モノクロ画像情報に変換する処理を行わせるように前記画像処理手段を制御する画像変換処理制御手段と、
を備え、前記光変調手段は、前記画像処理手段によって変換された前記モノクロ画像情報をもとに前記１色の光を空間変調することを特徴とする請求項４に記載の表示装置。
【請求項８】
当該表示装置の所定の状態を検出する検出手段を備え、
前記モード判別手段は、前記検出手段の検出結果をもとに前記モードを判別することを特徴とする請求項１に記載の表示装置。
【請求項９】
前記検出手段は、少なくとも前記画像情報の入力の有無を検出し、
前記モード判別手段は、前記検出手段が前記画像情報の入力の有無を検出した結果をもとに、少なくとも該画像情報が入力されていない場合、前記判別結果を第２のモードとすることを特徴とする請求項８に記載の表示装置。
【請求項１０】
前記検出手段は、少なくとも前記画像情報の入力の有無を検出し、
前記モード判別手段は、前記検出手段が前記画像情報の入力の有無を検出した結果をもとに、少なくとも該画像情報が所定時間内で切り替えられていない場合、前記判別結果を第２のモードとすることを特徴とする請求項８に記載の表示装置。
【請求項１１】
当該表示装置に電力を供給するバッテリーを備え、
前記検出手段は、少なくとも前記バッテリーの残容量を検出し、
前記モード判別手段は、前記検出手段が前記残容量を検出した結果をもとに、少なくとも該残容量が所定値未満である場合、前記判別結果を第２のモードとすることを特徴とする請求項８に記載の表示装置。
【発明の詳細な説明】
【技術分野】
【０００１】
本発明は、カラー画像を表示する表示装置に関し、特にカラー画像を投影表示する表示装置に適用して好適な表示装置に関するものである。
【背景技術】
【０００２】
従来、カラー画像を投影表示する表示装置では、超高圧水銀ランプ等の白色光源からの光をダイクロイックミラー等によって互いに波長域の異なる３つの色成分光に分離し、液晶パネル等の光変調素子を用いて、この分離した各色成分光を画像信号に対応して空間変調し、空間変調した各色成分光を合成して投射することによってカラー画像を投影表示している。
【０００３】
近年、このような表示装置では、装置の小型化等とともに省電力化の要求が高まっている。この省電力化の要求に対応するため、画像情報の入力がない場合に消費電力を低下させる表示装置が提案されている（たとえば、特許文献１参照）。この表示装置では、表示させる画像情報が入力されていないときに表示画像のない青色一色の背景であるブルーバックを投影する場合、ランプに供給する電力を通常電力よりも低下させ発光量を低減させることによってランプでの消費電力を低減するようにしている。
【０００４】
また、フルカラー表示のときよりも一段と明るい白色表示を可能とするプロジェクタが提案されている（たとえば、特許文献３参照）。さらに、省電力条件が満足されるとトランジスタをオフして、バックライトを構成する発光ダイオードの半分を消灯して、バックライトの省電力点灯を行うことにより、バッテリーの消費電力を削減する携帯無線電話装置が提案されている（たとえば、特許文献４参照）。また、複数色で発光可能なバックライトと、このバックライトで照明される液晶表示器と、装置内の各部に電源を供給する電源供給部と、電源供給部を制御し、節電モードとスタンバイモードでの動作を制御する制御部とを備え、制御部は、節電モードでは第１の色でバックライトを発光させ、スタンバイモードでは第２の色でバックライトを発光させる画像処理装置が提案されている（たとえば、特許文献５参照）。さらに、発光色が異なる複数種類の光源を備える第１の光源部と、白色光源を備える第２の光源部と、これら第１の光源部と第２の光源部の発光強度をそれぞれ独立に制御する発光制御ユニットとを備え、選択された動作態様に応じて発光強度を制御する液晶表示装置が提案されている（たとえば、特許文献６参照）。
【０００５】
【特許文献１】特開２００３−５１４７号公報
【特許文献２】特開２００４−１９９０２４号公報
【特許文献３】特開２００３−３０７７０５号公報
【特許文献４】特開平６−１２０８６４号公報
【特許文献５】特開２００３−３０４３６３号公報
【特許文献６】特開２００３−３３１６０８号公報
【発明の開示】
【発明が解決しようとする課題】
【０００６】
しかしながら、従来の表示装置では、白色光源を使用しているため、ブルーバック等の単色の画像を表示する場合、所望の色成分光をフィルター等によって分離して利用する一方で、分離した色成分光以外の光を無駄に捨てざるを得ず、このため、不要な色成分光に対して無駄に電力を消費してしまうという問題があった。また、様々な使用状態に対応して、カラー画像を表示することができなかった。
【０００７】
本発明は、上記に鑑みてなされたものであって、ブルーバック等の単色の画像を表示する場合に不要な色成分光に対する無駄な電力消費をなくすなどして、様々な使用状態を自動検出して省電力化等に対応することができるプロジェクタ等の表示装置を提供することを目的とする。
【課題を解決するための手段】
【０００８】
上記の目的を達成するために、本発明の請求項１にかかる表示装置は、少なくとも３色の色毎に同色の光を発する１以上の発光素子を有し、該色毎の光を射出する光源手段と、入力されたカラー画像情報をもとに前記光源手段が射出した前記色毎の光を空間変調する光変調手段と、前記光変調手段によって空間変調された前記色毎の光を結像して前記光変調手段の像を表示する表示光学手段と、前記発光素子を発光させる発光駆動手段と、第１と第２の少なくとも２つのモードを判別するモード判別手段と、前記モード判別手段の判別結果をもとに前記１以上の発光素子の前記色毎に発光すべき発光量を求め、該発光量をもとに前記発光駆動手段を制御する発光制御手段と、を備え、前記発光すべき発光量は、前記第２のモードよりも前記第１のモードの方が大きいことを特徴とする。
【０００９】
また、本発明の請求項２にかかる表示装置は、上記の発明において、前記発光制御手段は、前記色毎に、前記発光量に対応した数の前記発光素子を点灯させるように前記発光駆動手段を制御することを特徴とする。
【００１０】
また、本発明の請求項３にかかる表示装置は、上記の発明において、各モードに対応する前記発光量を記憶した記憶テーブルを備え、前記発光制御手段は、前記判別結果を取得し、前記記憶テーブルを参照して該取得した判別結果に対応する前記発光量を選択し、該選択した前記発光量をもとに前記発光駆動手段を制御することを特徴とする。
【００１１】
また、本発明の請求項４にかかる表示装置は、上記の発明において、前記発光制御手段は、前記判別結果をもとに、所定の１色の光を発する前記１以上の発光素子のみを点灯させるように前記発光駆動手段を制御することを特徴とする。
【００１２】
また、本発明の請求項５にかかる表示装置は、上記の発明において、前記光源手段は、少なくとも前記１色として白色光を発する１以上の発光素子を有し、前記発光制御手段は、前記モード判別手段が前記第２のモードを判別した場合に、前記白色光を発する前記１以上の発光素子を点灯させるように前記発光駆動手段を制御することを特徴とする。
【００１３】
また、本発明の請求項６にかかる表示装置は、上記の発明において、前記光源手段は、少なくとも前記１色として赤色光を発する１以上の発光素子を有し、前記発光制御手段は、前記モード判別手段が緊急性の高いモードである前記第２のモードを判別した場合、前記赤色光を発生する前記１以上の発光素子を点灯させるように前記発光駆動手段を制御することを特徴とする。
【００１４】
また、本発明の請求項７にかかる表示装置は、上記の発明において、前記画像情報をモノクロ画像情報に変換する画像処理手段と、前記判別結果をもとに前記画像情報を前記モノクロ画像情報に変換する処理を行わせるように前記画像処理手段を制御する画像変換処理制御手段と、を備え、前記光変調手段は、前記画像処理手段によって変換された前記モノクロ画像情報をもとに前記１色の光を空間変調することを特徴とする。
【００１５】
また、本発明の請求項８にかかる表示装置は、上記の発明において、当該表示装置の所定の状態を検出する検出手段を備え、前記モード判別手段は、前記検出手段の検出結果をもとに前記モードを判別することを特徴とする。
【００１６】
また、本発明の請求項９にかかる表示装置は、上記の発明において、前記検出手段は、少なくとも前記画像情報の入力の有無を検出し、前記モード判別手段は、前記検出手段が前記画像情報の入力の有無を検出した結果をもとに、少なくとも該画像情報が入力されていない場合、前記判別結果を第２のモードとすることを特徴とする。
【００１７】
また、本発明の請求項１０にかかる表示装置は、上記の発明において、前記検出手段は、少なくとも前記画像情報の入力の有無を検出し、前記モード判別手段は、前記検出手段が前記画像情報の入力の有無を検出した結果をもとに、少なくとも該画像情報が所定時間内で切り替えられていない場合、前記判別結果を第２のモードとすることを特徴とする。
【００１８】
また、本発明の請求項１１にかかる表示装置は、上記発明において、当該表示装置に電力を供給するバッテリーを備え、前記検出手段は、少なくとも前記バッテリーの残容量を検出し、前記モード判別手段は、前記検出手段が前記残容量を検出した結果をもとに、少なくとも該残容量が所定値未満である場合、前記判別結果を第２のモードとすることを特徴とする。
【発明の効果】
【００１９】
本発明にかかる表示装置によれば、ブルーバック等の単色の画像を表示する場合に不要な色成分光に対する無駄な電力消費をなくすなどして、様々な使用状態を自動検出して省電力化等に対応することができる。
【発明を実施するための最良の形態】
【００２０】
以下、添付図面を参照して、本発明にかかる表示装置の好適な実施の形態を詳細に説明する。なお、この実施の形態によりこの発明が限定されるものではない。また、図面の記載において、同一部分には同一の符号を付している。
【００２１】
（実施の形態１）
まず、本発明の実施の形態１にかかる表示装置について説明する。図１は、この実施の形態１にかかる表示装置の構成を示すブロック図である。図１に示すように、この実施の形態１にかかる表示装置１は、３色の色成分光を発光するＬＥＤを駆動するＬＥＤ駆動部２と、光変調素子としての液晶パネルであるＬＣＤ（Liquid Crystal Display）を駆動するＬＣＤ駆動部３と、入力された画像情報を処理する画像処理部４と、各種指示情報が入力される入力部５と、各種情報を表示する表示部６と、音声情報の入出力処理を行う音声入出力部７と、外部装置との間で情報通信を行う通信部８と、各種情報を記憶する記憶部９と、表示装置１に電力を供給する電力供給部１０と、表示装置１の全体の処理および動作を制御する制御部１１と、ＬＣＤによって空間変調された各色成分光を投射して画像を投影表示するプロジェクタ光学系１２とを備える。ＬＥＤ駆動部２、ＬＣＤ駆動部３、画像処理部４、入力部５、表示部６、音声入出力部７、通信部８、記憶部９および電力供給部１０は、制御部１１に電気的に接続され、制御部１１は、これらの各構成部位を制御する。
【００２２】
ＬＥＤ駆動部２は、赤ＬＥＤ駆動回路２Ｒ、緑ＬＥＤ駆動回路２Ｇおよび青ＬＥＤ駆動回路２Ｂを備える。これらの各ＬＥＤ駆動回路２Ｒ，２Ｇ，２Ｂは、それぞれ赤色光、緑色光および青色光である色成分光の光源としての赤ＬＥＤアレイ１３Ｒ、緑ＬＥＤアレイ１３Ｇおよび青ＬＥＤアレイ１３Ｂに電流を供給して発光させる。赤ＬＥＤアレイ１３Ｒ、緑ＬＥＤアレイ１３Ｇおよび青ＬＥＤアレイ１３Ｂは、それぞれ赤色光、緑色光および青色光を発光する発光素子であるＬＥＤを１以上配置して一体に構成した光源であり、各ＬＥＤ駆動回路２Ｒ，２Ｇ，２Ｂは、各ＬＥＤアレイ１３Ｒ，１３Ｇ，１３Ｂが有する個々のＬＥＤに個別に電力を供給して発光させる。
【００２３】
ＬＣＤ駆動部３は、赤ＬＣＤ駆動回路３Ｒ、緑ＬＣＤ駆動回路３Ｇおよび青ＬＣＤ駆動回路３Ｂを備える。これらの各ＬＣＤ駆動回路３Ｒ，３Ｇ，３Ｂは、画像処理部４から取得したカラー画像情報をもとに、それぞれ３色の色成分光を個別に空間変調する光変調素子としての赤ＬＣＤ１５Ｒ、緑ＬＣＤ１５Ｇおよび青ＬＣＤ１５Ｂを駆動する。このとき、各ＬＣＤ駆動回路３Ｒ，３Ｇ，３Ｂは、カラー画像を構成する色成分光毎の画像情報をもとに、対応する各ＬＣＤ１５Ｒ，１５Ｇ，１５Ｂの空間的な透過率特性を変化させる。
【００２４】
画像処理部４は、通信部８を介して取得したカラー画像情報を色成分光毎の画像情報に分解し、制御部１１の指示に基づいてＬＣＤ駆動部３に出力する。また、画像処理部４は、予め入力され記憶部９が記憶した文字画像等の所定の画像情報を出力する画像情報に重畳して表示させるＯＳＤ（On Screen Display）機能を有し、たとえば、ブルーバック上に所定の文字情報を重畳して投影表示させることができる。さらに、画像処理部４は、入力されたカラー画像情報をモノクロ画像情報に変換する機能を備えるようにしてもよい。ここで、カラー画像情報からモノクロ画像情報に変換する処理とは、カラー画像情報を単色で階調表示できるように量子化する処理である。
【００２５】
入力部５は、ボタン型、トグル型等の各種スイッチ、入力キー、タッチパネルなどを用いて実現され、表示装置１が制御する各種処理および動作の指示情報の入力を受け付けるとともに、入力された指示情報を制御部１１に出力する。入力部５が受け付ける指示情報には、表示装置１の起動／終了、投影表示の開始／終了、投影画像の明るさおよびコントラストの設定、投影画像の色合いの設定、投影画像の表示モードの設定等の情報がある。
【００２６】
表示部６は、液晶ディスプレイ、有機ＥＬ（Electroluminescence）ディスプレイ、ＬＥＤ表示素子等を用いて実現され、各種情報を表示する。表示部６が表示する情報には、表示装置１が制御する各種処理および動作の指示情報のメニュー、各種処理および動作の開始や完了を報知する報知情報、各種処理および動作で発生したエラーを報知するエラー情報等がある。なお、表示部６は、入力部５としてのタッチパネルをディスプレイ上に備え、入力を受け付ける指示情報に対応したメニュー表示を行うようにしてもよい。
【００２７】
音声入出力部７は、マイクロフォンおよびスピーカーを用いて実現され、外部から音声情報の入力を受け付け、入力された音声情報を制御部１１に出力するとともに、制御部１１から入力された音声情報を外部に出力する。音声入出力部７が入出力を行う情報には、投影画像に対応した音声情報等がある。さらに、音声入出力部７は、各構成部位が行う処理の開始や完了を報知する所定の報知音の出力、各種処理および動作で発生したエラーを報知する所定の警告音の出力等を行うようにしてもよい。
【００２８】
通信部８は、ＲＳ２３２Ｃ、ＵＳＢ、ＩＥＥＥ１３９４等の外部通信用インターフェース、あるいはＩｒＤＡ規格に準拠した赤外線通信インターフェース等を用いて実現され、制御部１１からの指示に基づいて外部装置との間で画像情報、音声情報等の各種情報通信を行う。
【００２９】
記憶部９は、所定のＯＳを起動するプログラム、処理プログラム等の各種情報が予め記憶されたＲＯＭと、各処理の各種処理パラメータ、各構成部位に入出力される各種情報等を記憶するＲＡＭとを用いて実現される。また、記憶部９は、表示装置１の各種状態を示す複数のモードに対応した各ＬＥＤアレイ１３Ｒ，１３Ｇ，１３Ｂの発光量を示すＬＥＤの点灯パターン情報を記憶した記憶テーブルとしての点灯パターンテーブル９ａを備える。点灯パターンテーブル９ａは、さらに、各ＬＥＤアレイ１３Ｒ，１３Ｇ，１３Ｂの発光量に対応して点灯させるＬＥＤの点灯数を記憶する。この他、記憶部９が記憶する情報として、投影する画像情報、画像情報に対応する音声情報、ＯＳＤ機能により重畳表示する文字情報等の所定の画像情報等がある。
【００３０】
電力供給部１０は、バッテリー１０ａおよび検出手段の一つとしての残容量検出部１０ｂを備える。バッテリー１０ａは、ニッカド電池、ニッケル水素電池、リチウムイオン電池等を用いて実現され、表示装置１の各構成部位に電力を供給する。残容量検出部１０ｂは、バッテリー１０ａの端子電圧、内部抵抗等によって供給可能な電力の残容量を検出し、検出結果を制御部１１に出力する。なお、バッテリー１０ａは、アルカリ乾電池、マンガン乾電池等の乾電池を用いてもよい。また、電力供給部１０は、商用電源を利用して電力供給を行えるようにしてもよい。
【００３１】
制御部１１は、記憶部９が記憶する処理プログラムを実行するＣＰＵ等によって実現される。制御部１１は、発光制御手段としてのＬＥＤ発光制御部１１ａ、モード判別手段としてのモード判別部１１ｂおよび検出手段の一つとしての画像情報入力判定部１１ｃを備える。ＬＥＤ発光制御部１１ａは、モード判別部１１ｂの判別結果を取得し、点灯パターンテーブル９ａを参照し、取得した判別結果に対応する各色成分光の光源の発光量の情報を選択し、選択した発光量の情報をもとにＬＥＤ駆動部２を制御する。モード判別部１１ｂは、画像情報入力判定部１１ｃの判定結果および残容量検出部１０ｂの検出結果等によって表示装置１の状態を示すモードを判別する。画像情報入力判定部１１ｃは、通信部８を介して入力される画像情報の入力の有無を検出して判定するとともに、入力された画像情報が所定時間内で切り替えられたか否かを判定する。この判定によって、モード判別部１１ｂは、たとえば、画像情報が入力されていないモードであるか否か、画像情報が所定時間内で切り替えられていないモードであるか否か等を判別する。また、モード判別部１１ｂは、残容量検出部１０ｂの検出結果から、たとえば、バッテリー１０ａの残容量が所定値未満であるモードであるか否かを判別する。
【００３２】
プロジェクタ光学系１２は、光源部１３、照明光学系１４、光変調部１５および投影光学系１６を備える。光源部１３は、赤ＬＥＤアレイ１３Ｒ、緑ＬＥＤアレイ１３Ｇおよび青ＬＥＤアレイ１３Ｂを備え、光変調部１５は、赤ＬＣＤ１５Ｒ、緑ＬＣＤ１５Ｇおよび青ＬＣＤ１５Ｂを備える。
【００３３】
ここで、プロジェクタ光学系１２の概要構成の一例を図２に示す。図２に示すように、赤ＬＥＤアレイ１３Ｒ、緑ＬＥＤアレイ１３Ｇおよび青ＬＥＤアレイ１３Ｂは、それぞれ赤色光、緑色光および青色光を発光する複数のＬＥＤを一体にして構成されている。各ＬＥＤアレイ１３Ｒ，１３Ｇ，１３Ｂを構成する各ＬＥＤは、ＬＥＤ駆動回路２からの駆動信号をもとに個別に点灯可能であり、図２では、赤ＬＥＤアレイは３個、緑ＬＥＤアレイは２個、青ＬＥＤアレイは５個、それぞれＬＥＤを点灯させた状態を示している。照明光学系１４は、赤ＬＥＤアレイ１３Ｒ、緑ＬＥＤアレイ１３Ｇおよび青ＬＥＤアレイ１３Ｂのそれぞれに対応して照明光学系１４ａ〜１４ｃを備え、この照明光学系１４ａ〜１４ｃは、それぞれ赤ＬＣＤ１５Ｒ、緑ＬＣＤ１５Ｇおよび青ＬＣＤ１５Ｂを対応する色成分光で照明する。赤ＬＣＤ１５Ｒ、緑ＬＣＤ１５Ｇおよび青ＬＣＤ１５Ｂは、色成分光毎の画像情報に対応したＬＣＤ駆動回路３からの駆動信号をもとに、照明する各色成分光を空間変調して透過させる。投影光学系１６は、ダイクロイックプリズム１６ａおよび投影レンズ１６ｂを備え、ダイクロイックプリズム１６ａは、各ＬＣＤ１５Ｒ，１５Ｇ，１５Ｂを透過した各色成分光のうち赤色光および緑色光を反射し、青色光を透過させ、各色成分光の光路を同軸に合成し、投影レンズ１６ｂは、この合成された各色成分光を前方の図示しないスクリーン等に投射し、各ＬＣＤ１５Ｒ，１５Ｇ，１５Ｂの像を合成してなる画像を拡大表示する。なお、図２では、各ＬＥＤアレイ１３Ｒ，１３Ｇ，１３Ｂを１列に配列した５個のＬＥＤによって構成しているが、これらのＬＥＤは２次元的に配列してもよく、また、構成するＬＥＤの数は１以上であればよい。
【００３４】
つぎに、表示装置１が行う処理および動作について、図３を参照して説明する。図３は、電源がオンされてから再びオフされるまでに、表示装置１がモードを判別し、判別したモードに対応してＬＥＤを点灯させる処理手順の一例を示すフローチャートである。図３に示すように、まず、制御部１１が、表示装置１の電源スイッチがオンされたことを検知して各構成部位の起動および各種パラメータの初期化を行う（ステップＳ１０１）。このとき、制御部１１は、表示装置１の状態を示すステータス変数を初期化する。つづいて、制御部１１は、表示装置１に異常が発生しているか否かを判断する（ステップＳ１０３）。ここで、表示装置１に発生する異常とは、たとえば、１以上の構成部位が正常に動作できない状態であり、制御部１１は、この状態を各構成部位からの出力信号によって確認するか、あるいは別途設けた温度センサ等の検出センサからの出力を取得して判断する。表示装置１に異常が発生していない場合（ステップＳ１０３：Ｎｏ）、制御部１１は、ステップＳ１０９へ進み、表示装置１に異常が発生している場合（ステップＳ１０３：Ｙｅｓ）、画像処理部４が有するＯＳＤ機能を利用し、表示装置１に異常が発生した旨の警告表示をプロジェクタ光学系１２に投影表示させ（ステップＳ１０５）、ステータス変数を「装置異常あり」を示すコードによって更新する（ステップＳ１０７）。つづいて、制御部１１は、残容量検出部１０ｂからの検出結果をもとに、バッテリー１０ａの残容量が所定値に対して不足しているか否かを判断する（ステップＳ１０９）。残容量が不足していない場合（ステップＳ１０９：Ｎｏ）、制御部１１は、ステップＳ１１７へ進み、残容量が不足している場合（ステップＳ１０９：Ｙｅｓ）、ＯＳＤ機能を利用し、プロジェクタ光学系１２にバッテリー１０ａの残容量が不足している旨の警告表示を投影表示させる（ステップＳ１１１）。その後、制御部１１は、ステータス変数が既に更新されているか否かを判断し（ステップＳ１１３）、更新されている場合（ステップＳ１１３：Ｙｅｓ）、ステップＳ１１７へ進み、更新されていない場合（ステップＳ１１３：Ｎｏ）、ステータス変数を「バッテリー不足」を示すコードによって更新する（ステップＳ１１５）。
【００３５】
つづいて、制御部１１は、画像情報入力判定部１１ｃが通信部８からの画像情報の入力の有無を判定した結果を参照し、画像情報が入力されているか否かを判断する（ステップＳ１１７）。入力されている場合（ステップＳ１１７：Ｙｅｓ）、制御部１１は、ステップＳ１２５へ進み、画像信号が入力されていない場合（ステップＳ１１７：Ｎｏ）、ＯＳＤ機能を利用し、プロジェクタ光学系１２に画像情報が入力されていない旨の警告表示を投影表示させる（ステップＳ１１９）。その後、制御部１１は、ステータス変数が既に更新されているか否かを判断し（ステップＳ１２１）、更新されている場合（ステップＳ１２１：Ｙｅｓ）、ステップＳ１２５へ進み、更新されていない場合（ステップＳ１２１：Ｎｏ）、ステータス変数を「画像無入力」を示すコードによって更新する（ステップＳ１２３）。つぎに、制御部１１は、画像情報入力判定部１１ｃが所定時間内に通信部８からの画像情報の入力の有無を判定した結果を参照し、この所定時間内に画像信号に変化があったか否かを判断する（ステップＳ１２５）。変化があった場合（ステップＳ１２５：Ｙｅｓ）、制御部１１は、ステップＳ１３１へ進み、画像信号に変化がなかった場合（ステップＳ１２５：Ｎｏ）、ステータス変数が既に更新されているか否かを判断し（ステップＳ１２７）、更新されている場合（ステップＳ１２７：Ｙｅｓ）、ステップＳ１３１へ進み、更新されていない場合（ステップＳ１２７：Ｎｏ）、ステータス変数を「画像変化なし」を示すコードによって更新する（ステップＳ１２９）。
【００３６】
そして、モード判別部１１ｂが、ステータス変数を参照して装置のモードを判別し（ステップＳ１３１）、ＬＥＤ発光制御部１１ａが、この判別結果をもとに点灯パターンテーブル９ａを参照し、判別したモードに対応するＬＥＤの点灯パターン情報を取得し（ステップＳ１３３）、取得した点灯パターン情報をもとにＬＥＤ駆動部２を制御して各ＬＥＤアレイ１３Ｒ，１３Ｇ，１３Ｂを構成するＬＥＤを点灯させる（ステップＳ１３５）。その後、制御部１１は、表示装置１の電源スイッチがオフされているか否かを判断し（ステップＳ１３７）、オフされていない場合（ステップＳ１３７：Ｎｏ）、ステップＳ１０３に戻って一連の処理を繰り返し、オフされている場合（ステップＳ１３７：Ｙｅｓ）、各構成部位の処理および動作を終了する処理を行って表示装置１をシャットダウンし（ステップＳ１３９）、一連の処理を終了する。
【００３７】
なお、ステップＳ１３１でモード判別部１１ｂが判別するモードは、表示装置１に異常が発生している状態を示すモード（ｂ）、バッテリー１０ａの残容量が所定値より不足している状態を示すモード（ｃ）、画像信号が入力されていない状態を示すモード（ｄ）、画像信号が所定時間内で切り替えられていない状態を示すモード（ｅ）、およびこれらのモードに該当しない通常使用状態を示すモード（ａ）のうち、ステータス変数がステップＳ１３１の時点で保持するコードに対応した１つのモードである。ステータス変数は、モード（ｂ）〜（ｅ）のうち２以上のモードが同時に発生しても、ステップＳ１３１の時点では、相対的に最も重要性の高いモードに対応する１つのコードのみ保持している。すなわち、モード判別部１１ｂは、表示装置１に発生したモードのうちで最も重要性の高いモードを判別し、ＬＥＤ発光制御部１１ａは、この判別したモードに対応するＬＥＤの点灯パターン情報を点灯パターンテーブル９ａから選択するようにしている。
【００３８】
ここで、図４を参照し、モード判別部１１ｂが判別したモードをもとに、ステップＳ１３３でＬＥＤ発光制御部１１ａが選択するＬＥＤの点灯パターン情報について説明する。図４は、モード判別部１１ｂが判別するモードとＬＥＤ発光制御部１１ａが選択するＬＥＤの点灯パターン情報との対応関係を示す点灯パターンテーブル９ａの一例を示す図である。図４に示す点灯パターンテーブル９ａでは、左側にモード判別部１１ｂが判別するモードを、右側にＬＥＤ発光制御部１１ａが選択するＬＥＤの点灯パターン情報を示している。このＬＥＤの点灯パターン情報は、色毎のＬＥＤアレイ１３Ｒ，１３Ｇ，１３Ｂのそれぞれの発光量、およびこの発光量に対応する色毎のＬＥＤの点灯数を示している。なお、図４では、各色のＬＥＤアレイ１３Ｒ，１３Ｇ，１３Ｂ毎に構成するＬＥＤをすべて点灯させた場合を１００％として発光量を割合表示している。また、発光量に対応するＬＥＤの点灯数は、所定の供給電流値で各ＬＥＤを発光させた場合の点灯数であり、図４では、たとえば図２に示したように、各ＬＥＤアレイ１３Ｒ，１３Ｇ，１３Ｂを５個のＬＥＤによって構成した場合の点灯数を例示している。
【００３９】
図４に示すように、モード判別部１１ｂがモード（ａ）を判別した場合、ＬＥＤ発光制御部１１ａは、各ＬＥＤアレイ１３Ｒ，１３Ｇ，１３Ｂを構成する全ＬＥＤを点灯することを示したＬＥＤの点灯パターン情報を選択する。また、モード判別部１１ｂがモード（ｂ）または（ｄ）を判別した場合、ＬＥＤ発光制御部１１ａは、それぞれ赤ＬＥＤアレイ１３Ｒまたは青ＬＥＤアレイ１３ＢのＬＥＤを全点灯し、この他のＬＥＤアレイのＬＥＤを全消灯することを示したＬＥＤの点灯パターン情報を選択する。さらに、モード判別部１１ｂがモード（ｃ）または（ｅ）を判別した場合、ＬＥＤ発光制御部１１ａは、それぞれ各ＬＥＤアレイ１３Ｒ，１３Ｇ，１３Ｂの発光量を８０％または６０％に低下させて点灯することを示したＬＥＤの点灯パターン情報を選択する。そして、ＬＥＤ発光制御部１１ａは、選択したＬＥＤの点灯パターン情報に基づいて各ＬＥＤアレイ１３Ｒ，１３Ｇ，１３Ｂを発光させるようにＬＥＤ駆動部２を制御する。このとき、ＬＥＤ発光制御部１１ａは、ＬＥＤの点灯数によって各ＬＥＤアレイ１３Ｒ，１３Ｇ，１３Ｂの発光量を設定するようにＬＥＤ駆動部２の制御を行う。
【００４０】
なお、モード（ｂ）では、表示装置１の異常発生という緊急性の高い情報をユーザー等に認知させるため、一般に緊急情報を表示する場合と同様に赤色光によって警告表示を行うようにＬＥＤの点灯パターン情報を設定している。また、モード（ｃ）では、ユーザー等が表示画像を認識するのに支障がない程度であるとともに、バッテリーの残容量の不足という情報を認知させる程度として、表示画像の明るさを全体的に８０％に低下させるようにＬＥＤの点灯パターン情報を設定している。さらに、モード（ｄ）では、投影表示装置等で標準的に利用されているようにブルーバックを表示させるため、光源部１３で青色光のみ発光させるようにＬＥＤの点灯パターン情報を設定している。また、モード（ｅ）では、表示装置１の使用が一時的に中断された状態にあると判断されるため、表示画像を認識するのに支障が生じる程度ではあるが、表示装置１の動作には異常がないことを認知できる程度として、表示画像の明るさを全体的に６０％に低下させるようにＬＥＤ点灯パターン情報を設定している。
【００４１】
このように、この実施の形態１にかかる表示装置１では、モード判別部１１ｂが表示装置１の各種状態を示すモードを判別し、この判別したモードに対応した情報をユーザー等に認知させるため、適当な色成分光によるモノクロ画像表示を行うか、あるいは所定の明るさのカラー画像表示を行うようにしている。そして、モノクロ画像表示を行う場合、不要な色成分光を発光させる無駄な電力消費をなくし、カラー画像表示を行う場合、色成分光毎に過不足のない適切な発光量を設定し、設定した発光量に対応する点灯数のＬＥＤのみ発光させるようにしているため、この表示装置１では、様々な使用状態に対応して省電力化を実現することができ、この結果、バッテリーを電源に用いても長時間駆動させることができる。
【００４２】
なお、モード判別部１１ｂは、図４に示したモード（ａ）〜（ｅ）に限定されず、さらに多くのモードを判別するようにしてもよく、モード（ａ）〜（ｅ）のような個々のモードを組み合わせた複合的なモードを判別するようにしてもよい。この複合的なモードに対応するＬＥＤの点灯パターンとしては、たとえば、個々のモードに対応するＬＥＤの点灯パターンを所定期間ずつ順次実行するようにしてもよく、あるいは、新たに所定の点灯パターンを設定してもよい。
【００４３】
また、図３に示したフローチャートでは、モード（ｂ）〜（ｅ）の順序で各モードの優先度が高くなるように処理手順を示したが、これとは異なる順序で優先度を設定してもよく、随時この優先度の順序を変更できるようにしてもよい。
【００４４】
さらに、モード判別部１１ｂがモード（ｅ）を判別する際に基準とする時間、すなわち、画像情報が切り替えられたか否かを判断する所定の時間間隔は、外部からの指示によって随時変更できるようにしてもよい。
【００４５】
なお、モード判別部１１ｂがモードを判別する際に参照するステータス変数は、図３に示したフローチャートでは、表示装置１の状態に対応した所定のコードによって更新するようにしていたが、たとえば、判別する状態毎にビットを割り当てた所定ビットの変数としてもよい。この場合、モード判別部１１ｂは、参照した時点のステータス変数の数値とともに、さらに各ビットの重み付けを示す情報を参照するなどして、所定のモードを判別するようにしてもよい。
【００４６】
また、制御部１１がＯＳＤ機能を利用して投影表示させる文字情報等の警告表示は、白色のカラー画像情報として記憶部９に記憶しておくことが好ましい。このようにしておくと、たとえば、モード（ｂ）および（ｄ）のように単色光によって表示を行う場合でも、画像情報が欠落せず、確実に警告表示を行うことができる。あるいは、警告表示する画像を無色の情報で縁取りし、投射する光の色に依らず常に背景と識別できるようにしてもよい。また、警告表示を単色光で表示する場合、警告表示するカラー画像情報を画像処理部４でモノクロ画像情報に変換し、階調表示することによって背景と識別できるようにしてもよい。
【００４７】
なお、表示装置１の各種設定を行うためにメニュー画面を表示する場合、緑色光のみ発光させて画像表示を行うようにするとよい。この場合、緑色光は標準比視感度が最も高く肉眼で認識しやすいため、ユーザーは選択するメニュー情報を認知しやすくなるとともに、他色を使用する場合に比して光源の発光量を落とすことが可能であり、省電力化を一層促進させることができる。さらにこの場合、たとえば、モード判別部１１ｂは、メニュー画面を表示させる指示情報の有無をもとにメニュー画面を表示するモードを判別するようにするとよい。
【００４８】
（実施の形態２）
つぎに、本発明の実施の形態２について説明する。上述した実施の形態１では、赤色光、緑色光および青色光を射出するＬＥＤアレイを用いてカラー画像を投影表示するようにしていたが、この実施の形態２では、さらに白色光を射出するＬＥＤアレイを備え、白黒表示のモノクロ画像を投影表示できるようにしている。
【００４９】
図５は、本発明の実施の形態２にかかる表示装置の構成を示すブロック図である。図５に示すように、この実施の形態２にかかる表示装置２１は、表示装置１が備えたＬＥＤ駆動部２、ＬＣＤ駆動部３、画像処理部４、記憶部９、制御部１１およびプロジェクタ光学系１２のそれぞれに代えて、ＬＥＤ駆動部２２、ＤＭＤ駆動回路２３、画像処理部２４、記憶部２９、制御部３１およびプロジェクタ光学系３２を備える。ＬＥＤ駆動部２２は、赤ＬＥＤ駆動回路２Ｒ、緑ＬＥＤ駆動回路２Ｇおよび青ＬＥＤ駆動回路２Ｂのそれぞれに代えて、赤ＬＥＤ駆動回路２２Ｒ、緑ＬＥＤ駆動回路２２Ｇおよび青ＬＥＤ駆動回路２２Ｂを備え、さらに白ＬＥＤ駆動回路２２Ｗを備える。制御部３１は、ＬＥＤ発光制御部１１ａ、モード判別部１１ｂ、画像情報入力判定部１１ｃのそれぞれに代えて、ＬＥＤ発光制御部３１ａ、モード判別部３１ｂ、画像情報入力判定部３１ｃを備え、さらに画像変換処理制御部３１ｄを備える。その他の構成は、表示装置１と同じであり、同一構成部分には同一符号を付している。なお、表示装置１が備えた電力供給部１０を削除し、代わりに図示しない商用電源から電力供給を受けられるようにしている。
【００５０】
ＤＭＤ駆動回路２３は、画像処理部２４から取得した画像情報をもとにＤＭＤ（Digital Micromirror Device）３５を駆動する。このとき、ＤＭＤ駆動回路２３は、画像を構成する色成分光毎の画像情報をもとにＤＭＤ２２の空間的な反射特性を順次変化させる。なお、「ＤＭＤ」とは、半導体基板上に数十万個の微小なミラーが形成された光反射素子である。微小ミラーのそれぞれが、駆動回路からのオン／オフ信号により所定の角度範囲内で傾斜して光を反射する。
【００５１】
画像処理部２４は、通信部８を介して入力されたカラー画像情報を色成分光毎の画像情報に分解し、ＤＭＤ駆動回路２３に出力する。また、画像処理部２４は、制御部３１からの指示をもとに、入力されたカラー画像情報をモノクロ画像情報に変換する。
【００５２】
ＬＥＤ発光制御部３１ａは、モード判別部３１ｂの判別結果を取得し、取得した判別結果をもとにＬＥＤ駆動部２２を制御する。モード判別部３１ｂは、入力部５または通信部８から入力された画像表示モードの指示情報を参照し、カラー画像を表示するカラー画像表示モードと、モノクロ画像を表示するモノクロ画像表示モードとを判別する。ＬＥＤ発光制御部３１ａは、モード判別部３１ｂがカラー画像表示モードであると判別した場合、赤色光、緑色光および青色光を発光するようにＬＥＤ駆動部２を制御し、モード判別部３１ｂがモノクロ画像表示モードであると判別した場合、白色光を発光するようにＬＥＤ駆動部２を制御する。画像情報入力判定部３１ｃは、通信部８を介して入力される画像情報の有無を検出して判定するとともに、入力された画像情報がカラー画像情報であるか、モノクロ画像情報であるかを判定する。画像変換処理制御部３１ｄは、モード判別部３１ｂの判別結果および画像情報入力判定部３１ｃの判定結果をもとに、画像処理部２４を制御する。たとえば、モード判別部３１ｂがモノクロ画像表示モードであると判別し、画像情報入力判定部３１ｃがカラー画像情報の入力を判定した場合、画像変換処理制御部３１ｄは、モノクロ画像変換処理を行うように画像処理部２４に指示を与える。また、たとえば、モード判別部３１ｂがモノクロ画像表示モードであると判別し、画像情報入力判定部３１ｃがモノクロ画像情報の入力を判定した場合、画像変換処理制御部３１ｄは、モノクロ画像変換処理を行わずに画像情報を出力するように画像処理部２４に指示を与える。
【００５３】
プロジェクタ光学系３２は、光源部３３、照明光学系３４、ＤＭＤ３５および投影光学系３６を備える。光源部３３は、赤ＬＥＤアレイ３３Ｒ、緑ＬＥＤアレイ３３Ｇ、青ＬＥＤアレイ３３Ｂおよび白ＬＥＤアレイ３３Ｗを備える。ここで、プロジェクタ光学系３２および光源部３３の構成の一例を図６−１および図６−２に示す。図６−１は、プロジェクタ光学系３２の概要構成を示す斜視図であり、図６−２は、光源部３３の概要構成を示す正面図である。図６−１に示すように、プロジェクタ光学系３２では、照明光学系３４が、光源部３３から射出した光によって所定角度からＤＭＤ３５を照明し、ＤＭＤ３５は、照明した光を空間変調して反射し、投影光学系３６は、ＤＭＤ３５で反射された光を前方の図示しないスクリーン等に投射してＤＭＤ３５の像を拡大投影する。光源部３３は、図６−２に示すように、円筒状フレームの周囲に配置された赤ＬＥＤアレイ３３Ｒ、緑ＬＥＤアレイ３３Ｇ、青ＬＥＤアレイ３３Ｂおよび白ＬＥＤアレイ３３Ｗによって構成され、さらに各ＬＥＤアレイ３３Ｒ，３３Ｇ，３３Ｂ，３３Ｗは、同様にフレームの周囲に一列に配列され、それぞれ赤色光、緑色光、青色光および白色光を発光する複数のＬＥＤによって構成されている。光源部３３は、ＬＥＤ駆動部２からの信号をもとに、赤色光、緑色光、青色光および白色光の各色の照明光を発光する。ここで、赤ＬＥＤアレイ３３Ｒ、緑ＬＥＤアレイ３３Ｇ、青ＬＥＤアレイ３３Ｂおよび白ＬＥＤアレイ３３Ｗは、円筒状フレームの周囲に配置されているが、ＤＭＤ３５を照明ムラなく照明できるのであれば、これ以外の配置でも構わない。あるいは、特許文献２に開示されているように、円筒状フレームの内側に平行ロッドとテーパーロッドを配置してＬＥＤアレイの点灯に同期して回動させることにより、ＬＥＤアレイから射出した照明光を効率よくＤＭＤ３５に導き、照明ムラなくＤＭＤ３５を照明することができる照明装置を用いてもよい。
【００５４】
つぎに、表示装置２１が行う処理および動作について、図７を参照して説明する。図７は、表示装置２１が、画像表示モードの指示情報を参照し、入力されたカラー画像情報を処理して投影表示する処理手順の一例を示すフローチャートである。図７に示すように、まず、モード判別部３１ｂが、入力部５または通信部８から入力された画像表示モードの指示情報を参照し、モノクロ画像表示モードに設定されているか否かを判断する（ステップＳ２０１）。モノクロ画像表示モードに設定されている場合（ステップＳ２０１：Ｙｅｓ）、画像変換処理制御部３１ｄが、画像処理部２４に、入力されたカラー画像情報をモノクロ画像情報に変換させ、変換したモノクロ画像情報をすべての色成分光の画像情報に代入させた後、ＤＭＤ駆動回路２３に出力させ（ステップＳ２０３）、制御部３１が、ＤＭＤ駆動回路２３に、すべての色成分光の画像情報に代入されたモノクロ画像情報をもとにＤＭＤ３５を駆動させ（ステップＳ２０５）、ＬＥＤ発光制御部３１ａが、ＬＥＤ駆動部２２に、白ＬＥＤアレイ３３ＷをＤＭＤ３５の駆動信号に同期して点灯させるとともに、この他のＬＥＤアレイ３３Ｒ，３３Ｇ，３３Ｂを消灯させ（ステップＳ２０７）、プロジェクタ光学系３２に白黒表示のモノクロ画像を投影表示させる。一方、モノクロ画像表示モードに設定されていない場合（ステップＳ２０１：Ｎｏ）、画像変換処理制御部３１ｄが、画像処理部２４に、入力されたカラー画像情報を色成分光毎の画像情報に分解してＤＭＤ駆動回路２３に出力させ（ステップＳ２０９）、制御部３１が、ＤＭＤ駆動回路２３に、色成分光毎の画像情報をもとにＤＭＤ３５を駆動させ（ステップＳ２１１）、ＬＥＤ発光制御部３１ａが、ＬＥＤ駆動部２２に、白ＬＥＤアレイ３３Ｗを消灯させるとともに、この他のＬＥＤアレイ３３Ｒ，３３Ｇ，３３ＢをＤＭＤ３５の駆動信号に同期して順次点灯させ、（ステップＳ２１３）、プロジェクタ光学系３２にカラー画像を投影表示させる。表示装置２１は、電源がオフされる等の所定の指示情報を受け付けるまで、これら一連の処理を繰り返す。
【００５５】
なお、ＬＥＤ発光制御部３１ａは、モノクロ表示モードに設定されている場合、白ＬＥＤアレイ３３Ｗを点灯する代わりに、この他のＬＥＤアレイ３３Ｒ，３３Ｇ，３３Ｂのいずれかを点灯させ、赤色、緑色または青色のモノクロ画像を表示させるようにしてもよい。この場合、点灯させるＬＥＤアレイを随時選択して変更できるようにしてもよい。なお、このようにモノクロ画像の表示に用いる色を任意に変更しても、この表示装置２１では、ステップＳ２０３に示したようにモノクロ画像変換処理を行い、変換したモノクロ画像情報をすべての色成分光に対して保持するようにしているため、表示画像中に情報の欠落が生じることはない。
【００５６】
さらに、ＬＥＤ発光制御部３１ａは、カラー表示モードに設定されている場合、白ＬＥＤアレイ３３Ｗを含むすべてのＬＥＤアレイを点灯させ、たとえば、赤色光、緑色光および青色光を用いたカラー画像表示に加えて補助的に白色光を用い、ＤＭＤ３５を照明する光の全体的な輝度を増大させ、通常よりも明るい表示画像を得るようにしてもよい。
【００５７】
以上説明したように、この実施の形態２にかかる表示装置２１では、入力された画像表示モードの指示情報をもとに、モード判別部３１ｂがモノクロ画像表示モードとカラー画像表示モードとを判別し、モノクロ画像表示モードである場合、白色光、赤色光、緑色光または青色光のいずれか一つの色に対応するＬＥＤアレイのみ点灯させるようにしているため、不要な色成分光を発光させる無駄な電力消費をなくして省電力化を実現することができる。また、表示装置２１では、モノクロ表示モードである場合、入力されたカラー画像情報をモノクロ画像情報に変換し、すべての色成分光に対して変換したモノクロ画像情報を保持するようにしているため、画像表示に任意の色の照明光を用いても表示画像中に情報の欠落が生じることはない。さらに、表示装置２１では、白色光を発光するＬＥＤを光源に備えているため、照明光の輝度を増大させ、通常よりも明るいカラー画像を表示させることができる。
【００５８】
なお、表示装置１、２１では、赤色光、緑色光および青色光を発光するＬＥＤを用いたが、この他の３色の光を発光するＬＥＤを組み合わせて用いてもよい。また、表示装置１では、さらに白色光を発光するＬＥＤを備えるようにしてもよい。
【００５９】
また、光変調素子として、表示装置１ではＬＣＤを用い、表示装置２１ではＤＭＤを用いたが、これらに代えて、たとえば、反射型液晶素子であるＬＣＯＳ（Liquid Crystal on Silicon）を用いるようにしてもよい。
【００６０】
さらに、表示装置１、２１では、色毎にＬＥＤアレイを構成するＬＥＤの点灯数を変えることによって各色の発光量を変化させるようにしていたが、たとえば、色毎にＬＥＤを一様に点灯させながらＬＥＤアレイに供給する電流量を変えることによって各色の発光量を変化させるようにしてもよい。
【００６１】
また、表示装置１、２１では、投影表示する画像情報および画像情報に対応する音声情報等を通信部８から取得するようにしていたが、たとえば、各種フラッシュメモリ等からなる携帯型情報記憶媒体を電気的に接続可能な機構をさらに備え、この携帯型記憶媒体から画像情報および音声情報等を取得するようにしてもよい。
【図面の簡単な説明】
【００６２】
【図１】本発明の実施の形態１にかかる表示装置の構成を示すブロック図である。
【図２】図１に示したプロジェクタ光学系の概要構成を示す模式図である。
【図３】図１に示した表示装置がモードを判別してＬＥＤを点灯させる処理手順を示すフローチャートである。
【図４】図１に示した点灯パターンテーブルの一例を示す図である。
【図５】本発明の実施の形態２にかかる表示装置の構成を示すブロック図である。
【図６−１】図５に示したプロジェクタ光学系の概要構成を示す模式図である。
【図６−２】図５に示した光源部の概要構成を示す模式図である。
【図７】図５に示した表示装置が入力されたカラー画像情報を処理して投影表示する処理手順を示すフローチャートである。
【符号の説明】
【００６３】
１，２１    表示装置
２，２２    ＬＥＤ駆動部
２Ｒ，２２Ｒ    赤ＬＥＤ駆動回路
２Ｇ，２２Ｇ    緑ＬＥＤ駆動回路
２Ｂ，２２Ｂ    青ＬＥＤ駆動回路
３    ＬＣＤ駆動部
３Ｒ    赤ＬＣＤ駆動回路
３Ｇ    緑ＬＣＤ駆動回路
３Ｂ    青ＬＣＤ駆動回路
４，２４    画像処理部
５    入力部
６    表示部
７    音声入出力部
８    通信部
９，２９    記憶部
９ａ    点灯パターンテーブル
１０    電力供給部
１０ａ    バッテリー
１０ｂ    残容量検出部
１１，３１    制御部
１１ａ，３１ａ    ＬＥＤ発光制御部
１１ｂ，３１ｂ    モード判別部
１１ｃ，３１ｃ    画像情報入力判定部
１２，３２    プロジェクタ光学系
１３，３３    光源部
１３Ｒ，３３Ｒ    赤ＬＥＤアレイ
１３Ｇ，３３Ｇ    緑ＬＥＤアレイ
１３Ｂ，３３Ｂ    青ＬＥＤアレイ
１４，３４    照明光学系
１５    光変調部
１５Ｒ    赤ＬＣＤ
１５Ｇ    緑ＬＣＤ
１５Ｂ    青ＬＣＤ
１６，３６    投影光学系
１６ａ    ダイクロイックプリズム
１６ｂ    投影レンズ
２２Ｗ    白ＬＥＤ駆動回路
２３    ＤＭＤ駆動回路
３１ｄ    画像変換処理制御部
３３Ｗ    白ＬＥＤアレイ
３５    ＤＭＤ
【図１】
2006154671.tif 000003
【図２】
2006154671.tif 000004
【図３】
2006154671.tif 000005
【図４】
2006154671.tif 000006
【図５】
2006154671.tif 000007
【図６−１】
2006154671.tif 000008
【図６−２】
2006154671.tif 000009
【図７】
2006154671.tif 000010